(57)【特許請求の範囲】
【請求項１】
端末間（Ｄ２Ｄ）ユーザ機器（ＵＥ）装置において行われる方法であって
前記Ｄ２Ｄ  ＵＥ装置と別のＤ２Ｄ  ＵＥ装置とが第１の基地局によって提供された第１のセル内に位置する間、Ｄ２Ｄ通信を使用して前記別のＤ２Ｄ  ＵＥ装置と通信する工程と、
前記第１のセルから第２のセルへのハンドオーバが完了した後、Ｄ２Ｄサブフレームを前記別のＤ２Ｄ  ＵＥ装置に送信する工程であって、前記Ｄ２Ｄサブフレームは、前記第２のセルを特定するセル識別子を伝達する、工程と、
前記第２のセルを提供する第２の基地局にＤ２Ｄ要求を送信する工程と、
前記第２の基地局から、Ｄ２Ｄ通信リソースを特定する通信リソース情報を受信する工程と、
前記Ｄ２Ｄ通信リソースを使用して、前記別のＤ２Ｄ  ＵＥ装置とＤ２Ｄ通信を続ける工程と、を含む、方法。
【請求項２】
前記ハンドオーバ手順が開始された後、前記セル識別子と前記第２のセルの周波数とを有するメッセージを送信する工程を更に含む、請求項１に記載の方法。
【請求項３】
前記別のＤ２Ｄ  ＵＥ装置において前記セル識別子と前記周波数とを有する前記メッセージを受信することにより、前記別のＤ２Ｄ  ＵＥ装置におけるタイマがトリガされ、前記タイマが満了前に停止した場合、前記別のＤ２Ｄ  ＵＥ装置は、前記メッセージに示された前記周波数に対応するディスカバリ信号をモニタする、請求項２に記載の方法。
【請求項４】
前記ハンドオーバ手順が開始された後、Ｄ２Ｄ通信を中止する工程を更に含む、請求項１に記載の方法。
【請求項５】
前記Ｄ２Ｄサブフレームを送信することは、前記Ｄ２Ｄ  ＵＥ装置におけるディスカバリ信号のバッファの状態に関わらず、前記ハンドオーバの完了に応じて、Ｄ２Ｄディスカバリサブフレームを前記別のＤ２Ｄ  ＵＥ装置に送信する工程を含む、請求項１に記載の方法。
【請求項６】
前記ハンドオーバは、前記Ｄ２Ｄ  ＵＥ装置によって送られた測定レポートによりトリガされる、請求項１に記載の方法。
【請求項７】
前記Ｄ２Ｄサブフレームは、前記セル識別子を含むＤ２Ｄメッセージを含む、請求項１に記載の方法。
【請求項８】
前記Ｄ２Ｄサブフレームの参照信号をスクランブル化するためのスクランブリングシーケンスは、前記セル識別子の関数である、請求項１に記載の方法。
【請求項９】
第１の端末間（Ｄ２Ｄ）ユーザ機器（ＵＥ）装置において行われる方法であって、
前記第１のＤ２Ｄ  ＵＥ装置と第２のＤ２Ｄ  ＵＥ装置とが第１の基地局によって提供された第１のセル内に位置する間、Ｄ２Ｄ通信を使用して前記第２のＤ２Ｄ  ＵＥ装置と通信する工程と、
前記第２のＤ２Ｄ  ＵＥ装置による第２のセルへのハンドオーバの手順が開始された後、前記第２のセルを特定するセル識別子と前記第２のセルの周波数とを有するメッセージを受信する工程と、
前記周波数に対応するディスカバリ信号のためのチャネルをモニタする工程と、
前記ハンドオーバの後、前記第２のＤ２Ｄ  ＵＥ装置からＤ２Ｄサブフレームを受信する工程であって、前記Ｄ２Ｄサブフレームは、前記第２のセルを特定するセル識別子を伝達する、工程と、
前記セル識別子を含むセルＩＤ更新メッセージを前記第１の基地局に送信する工程と、
前記第１の基地局から、Ｄ２Ｄ通信リソースを特定する通信リソース情報を受信する工程と、
前記Ｄ２Ｄ通信リソースを使用して、前記第２のＤ２Ｄ  ＵＥ装置とＤ２Ｄ通信を続ける工程と、を含む、方法。
【請求項１０】
前記第１のＤ２Ｄ  ＵＥ装置において、前記セル識別子と、前記周波数とを有する前記メッセージを受信したことに応じて、タイマを起動させる工程と、
前記タイマの満了前に前記タイマが停止した場合にのみ、前記第１のＤ２Ｄ  ＵＥ装置において、前記周波数に対応する前記ディスカバリ信号のための前記チャネルをモニタする工程と、を更に含む、請求項９に記載の方法。
【請求項１１】
前記ハンドオーバ手順が開始された後、Ｄ２Ｄ通信を中止する工程を更に含む、請求項９に記載の方法。
【請求項１２】
前記ハンドオーバは、前記第２のＤ２Ｄ  ＵＥ装置によって送られた測定レポートによりトリガされる、請求項９に記載の方法。
【請求項１３】
前記Ｄ２Ｄサブフレームは、前記セル識別子を含むＤ２Ｄメッセージを含む、請求項９に記載の方法。
【請求項１４】
前記Ｄ２Ｄサブフレームの参照信号をスクランブル化するためのスクランブリングシーケンスは、前記セル識別子の関数である、請求項９に記載の方法。
【請求項１５】
第１の基地局から通信のための第１のセルを提供する工程と、
第２の基地局から通信のための第２のセルを提供する工程であって、第１のユーザ機器（ＵＥ）装置及び第２のＵＥ装置は、前記第１のセル内の端末間（Ｄ２Ｄ）通信リンクを介して通信する、工程と、
前記第２のＵＥ装置による前記第１の基地局から前記第２の基地局へのハンドオーバをトリガするために、前記第１の基地局において、前記第２のＵＥ装置から測定レポートを受信する工程と、
前記ハンドオーバが完了した後、前記第２の基地局において前記第２のＵＥ装置から、Ｄ２Ｄリソースの要求を受信する工程と、
前記第１の基地局において前記第１のＵＥ装置から、前記第２のセルを前記第２のＵＥ装置のサービングセルとして特定するセル識別子を受信する工程と、
前記第１のＵＥ装置と前記第２のＵＥ装置との間のＤ２Ｄ通信のための共通のＤ２Ｄリソースを特定するために前記第１の基地局と前記第２の基地局とが協調する工程と、
前記第１の基地局から前記第１のＵＥ装置に、かつ前記第２の基地局から前記第２のＵＥ装置に、通信リソース情報を送信する工程であって、前記通信リソース情報は、前記共通のＤ２Ｄリソースを特定する、工程と、を含む、方法。
【請求項１６】
前記セル識別子は、Ｄ２Ｄサブフレームにおいて、前記第２のＵＥ装置から前記第１のＵＥ装置において受信される、請求項１５に記載の方法。
【請求項１７】
前記セル識別子は、Ｄ２Ｄディスカバリ信号において、前記第２のＵＥ装置から前記第１のＵＥ装置において受信される、請求項１６に記載の方法。
【請求項１８】
前記基地局及びＵＥ装置は、第３世代パートナシッププロジェクト・ロング・ターム・エボリューション（３ＧＰＰ  ＬＴＥ）通信仕様の少なくとも１つのリリースに従って動作する、請求項１５に記載の方法。
【請求項１９】
Ｄ２Ｄ  ＵＥ装置と別のＤ２Ｄ  ＵＥ装置とが第１の基地局によって提供された第１のセル内に位置する間、Ｄ２Ｄ通信を使用して、前記別のＤ２Ｄ  ＵＥ装置とＤ２Ｄ信号を送受信するように構成されている送受信部を備える端末間（Ｄ２Ｄ）ユーザ機器（ＵＥ）装置であって、
前記送受信部は、送信部及び受信部を備え、前記送信部は、
前記Ｄ２Ｄ  ＵＥ装置による前記第１のセルから前記第２のセルへのハンドオーバが完了した後、前記第２のセルを特定するセル識別子を伝達するＤ２Ｄサブフレームを前記別のＤ２Ｄ  ＵＥ装置に送信し、前記第２のセルを提供する第２の基地局にＤ２Ｄ要求を送信するように構成され、
前記受信部は、前記第２の基地局から、Ｄ２Ｄ通信リソースを特定する通信リソース情報を受信するように構成され、前記送受信部は、前記Ｄ２Ｄ通信リソースを使用して、前記別のＤ２Ｄ  ＵＥ装置とＤ２Ｄ通信を再開するように構成されている、Ｄ２Ｄ  ＵＥ装置。
【請求項２０】
前記ハンドオーバ手順が開始された後、前記セル識別子と前記第２のセルの周波数とを有するメッセージを、前記別のＤ２Ｄ  ＵＥ装置に送信するように構成されている前記送信部を更に備える、請求項１９に記載のＤ２Ｄ  ＵＥ装置。
【請求項２１】
前記Ｄ２Ｄサブフレームは、前記セル識別子を含むＤ２Ｄメッセージを含む、請求項１９に記載のＤ２Ｄ  ＵＥ装置。
【請求項２２】
前記Ｄ２Ｄサブフレームの参照信号をスクランブル化するためのスクランブリングシーケンスは、前記セル識別子の関数である、請求項１９に記載のＤ２Ｄ  ＵＥ装置。
【発明の詳細な説明】
【優先権の主張】
【０００１】
本出願は、本出願の譲受人に譲受され、その全体が参照により明示的に本明細書に援用されている、２０１３年１２月２０日出願の整理番号ＴＰＲＯ  ００２３４  ＵＳの「Ｄ２Ｄ通信のためのスケジューリング（Ｓｃｈｅｄｕｌｉｎｇ  ｆｏｒ  Ｄ２Ｄ  Ｃｏｍｍｕｎｉｃａｔｉｏｎｓ）」と題される仮特許出願第６１／９１９，２８４号の優先権を主張するものである。
【技術分野】
【０００２】
本発明は、概ね、無線通信に関し、より具体的には、端末間（Ｄ２Ｄ）ディスカバリ信号の管理に関する。
【背景技術】
【０００３】
多くの無線通信システムは、基地局（通信局、送受信機局、ｅＮｏｄｅＢ、ｅＮＢ）を使用して、無線通信ユーザ機器装置（ＵＥ装置）が、ＵＥ装置が位置する特定の地理的サービスエリアを提供する基地局と通信を行う地理的サービスエリアを提供する。基地局は、ネットワーク内で接続されるので、ＵＥ装置と他の装置との間の通信リンクを形成することができる。通信システムは、携帯型ＵＥ装置の多様なニーズに応えるため、様々なサイズを有する重複するサービスエリアを提供する基地局を備えてもよい。例えば、マクロセル通信局は、より大きいマクロセルサービスエリアを提供してもよく、小セル基地局により提供される１つ又は２つ以上の小セルサービスエリアをカバーしてもよい。
【０００４】
状況によっては、通信リンクは、互いに近接する無線通信ＵＥ装置間に形成される。これらの状態では、基地局を介して通信するより、２つの無線ＵＥ装置間に直接的な通信リンクがあることが好まれ得る。装置間のそのような直接的な通信は、端末間（Ｄ２Ｄ）通信又はピアツーピア（Ｐ２Ｐ）通信と称される場合が多い。Ｄ２Ｄ通信のために使用される通信リソース（例えば、時間周波数ブロック）は、典型的には、ＵＥ装置と基地局との間の通信のための通信システムにより使用される通信リソースのサブセットである。
【０００５】
カバレッジ内（ＩｎＣ）のＵＥ装置は、基地局のサービスエリア内にあり、基地局と通信可能であるＵＥ装置である。カバレッジ外（ＯｏＣ）のＵＥ装置は、任意の基地局のサービスエリア内に存在しないＵＥ装置である。互いにＤ２Ｄ通信に関与しているＤ２Ｄ  ＵＥ装置は、グループを形成する。従って、Ｄ２Ｄグループは、２つ以上のＤ２Ｄ  ＵＥ装置を含む。Ｄ２Ｄグループにより生じる５つの典型的なカバレッジシナリオが存在する。第１のカバレッジシナリオでは、Ｄ２ＤグループのＵＥ装置の全てが、単一の基地局のサービスエリア内に位置する。従って、第１のシナリオに関して、Ｄ２ＤグループのＤ２Ｄ  ＵＥ装置の全てが、単一のサービスエリア内のＩｎＣ  ＵＥ装置である。第２のカバレッジシナリオでは、Ｄ２ＤグループのどのＵＥ装置も任意の基地局の任意のサービスエリア内に位置しない。従って、第２のシナリオに関して、Ｄ２ＤグループのＤ２Ｄ  ＵＥ装置の全てが、ＯｏＣ  ＵＥ装置である。第３のカバレッジシナリオでは、Ｄ２ＤグループのＵＥ装置のうち少なくとも１つは、単一の基地局のサービスエリア内に位置し、グループの少なくとも１つのＤ２Ｄ  ＵＥ装置は、全てのサービスエリア外に存在する。従って、第３のシナリオに関して、Ｄ２ＤグループのＤ２Ｄ  ＵＥ装置のうち少なくとも１つは、単一のサービスエリア内のＩｎＣ  ＵＥ装置であり、少なくとも１つのＵＥ装置は、ＯｏＣ  ＵＥ装置である。第３のカバレッジシナリオは、パーシャルカバレッジシナリオと称される場合がある。第４のカバレッジシナリオでは、Ｄ２ＤグループのＵＥ装置のうち少なくとも１つは、第１の基地局の第１のサービスエリア内に位置し、グループの少なくとも１つのＤ２Ｄ  ＵＥ装置は、第２の基地局の第２のサービスエリア内に位置する。従って、第４のシナリオに関して、Ｄ２ＤグループのＤ２Ｄ  ＵＥ装置のうち少なくとも２つは、異なるサービスエリア内のＩｎＣ  ＵＥ装置である。第５のカバレッジシナリオでは、Ｄ２ＤグループのＵＥ装置のうち少なくとも１つは、第１の基地局の第１のサービスエリア内に位置し、グループの少なくとも１つのＤ２Ｄ  ＵＥ装置は、第２の基地局の第２のサービスエリア内に位置し、Ｄ２Ｄグループの少なくとも１つのＵＥ装置は、ＯｏＣ  ＵＥ装置である。従って、第５のシナリオに関して、Ｄ２ＤグループのＤ２Ｄ  ＵＥ装置のうち少なくとも２つは、異なるサービスエリア内のＩｎＣ  ＵＥ装置であり、グループの少なくとも１つのＤ２Ｄ  ＵＥ装置は、ＯｏＣ  ＵＥ装置である。他のカバレッジシナリオが可能である。第４及び第５のカバレッジシナリオでは、少なくとも１つのＵＥ装置は、１つの基地局によりサービングされ、少なくとも１つのＵＥ装置は、別の基地局によりサービングされている。かかるシナリオは、典型的には、セル間カバレッジシナリオ（ｉｎｔｅｒ−ｃｅｌｌ  ｃｏｖｅｒａｇｅ  ｓｃｅｎａｒｉｏ）と称される。グループのＵＥ装置は、移動型であるので、Ｄ２Ｄグループのカバレッジシナリオが変わる状態がある。例えば、Ｄ２ＤグループのＵＥ装置は、第１の基地局によりサービングされている第１のサービスエリアから、第２の基地局によりサービングされている第２のサービスエリアへと移動する場合がある。
【発明の概要】
【０００６】
第１のセル内にある別のＤ２Ｄ  ＵＥ装置と通信する端末間（Ｄ２Ｄ）ユーザ機器（ＵＥ）装置は、ＵＥ装置が第１のセルから第２のセルへと移動する際、第２のセルのセル識別子を含むＤ２Ｄサブフレームを送信する。第２のセルへのハンドオーバが開始された後、Ｄ２Ｄ  ＵＥ装置は、Ｄ２Ｄ通信を中止することができる。Ｄ２Ｄ  ＵＥ装置は、ハンドオーバが完了すると、Ｄ２Ｄディスカバリサブフレームなどの、第２のセルを特定するＤ２Ｄサブフレームを送信する。他のＤ２Ｄ  ＵＥ装置は、第１のセルを提供する基地局に対して、第２のセルを特定する。第１のセルを提供する基地局及び第２のセルを提供する基地局は、協調して、Ｄ２Ｄ  ＵＥ装置間のＤ２Ｄ通信のためのリソースを判定する。
【図面の簡単な説明】
【０００７】
図１は、端末間（Ｄ２Ｄ）通信にマクロセル通信リソースが使用され、ユーザ機器（ＵＥ）装置がサービングセルを特定するＤ２Ｄサブフレームを送信する、通信システムのブロック図である。
【０００８】
図２Ａは、セル識別子がＤ２Ｄメッセージにおいて送られているＤ２Ｄサブフレームを送信するＵＥ装置のサービングセルを特定する、Ｄ２Ｄサブフレームのブロック図である。
【０００９】
図２Ｂは、セル識別子が参照信号の中に埋め込まれているＤ２Ｄサブフレームを送信するＵＥ装置のサービングセルを特定する、Ｄ２Ｄサブフレームのブロック図である。
【００１０】
図３は、ＵＥ装置としての使用に好適な無線ユーザ機器（ＵＥ）装置のブロック図である。
【００１１】
図４は、基地局としての使用に好適な基地局のブロック図である。
【００１２】
図５は、セル間Ｄ２Ｄ通信の確立の一例の示すメッセージのやりとりの図（ｍｅｓｓａｇｉｎｇ  ｄｉａｇｒａｍ）である。
【００１３】
図６Ａは、第１のＵＥ装置及び第２のＵＥ装置が第１のセルにある場合の通信システムの図である。
【００１４】
図６Ｂは、第２のＵＥ装置が第１のセルから第２のセルへと移動している間の第２のＤ２Ｄ  ＵＥ装置が第２のセルへとハンドオーバしている間の通信システムの図である。
【００１５】
図６Ｃは、ハンドオーバが完了し、第１のＵＥ装置が第１のセルにあり、第２のＵＥ装置が第２のセルにある際の通信システムの図である。
【００１６】
図７は、第２のＵＥ装置が第１のＵＥ装置と通信し、第１のセルから第２のセルへと移動していることを示すメッセージ図である。
【発明を実施するための形態】
【００１７】
通信仕様は、基地局（通信局、ｅＮＢなど）と無線通信ユーザ機器（ＵＥ）装置との間の通信のためのマクロセル通信リソースを定義する。マクロセル通信リソースは、定義済みの下りリンク通信リソースと、定義済みの上りリンク通信リソースと、を含み、両リソースは、通信仕様により定義される。下りリンク通信用に割り当てられた（スケジューリングされた）定義済みの下りリンク通信リソースから選択された下りリンク通信リソースは、スケジューリング済みの下りリンク通信リソースと称される。上りリンク通信用に割り当てられた（スケジューリングされた）定義済みの上りリンク通信リソースから選択された上りリンク通信リソースは、スケジューリング済みの上りリンク通信リソースと称される。本発明の実施形態に従って、一部のマクロセル通信リソースは、端末間（Ｄ２Ｄ）通信のために確保される。これらの確保されたリソースは、予備のＤ２Ｄ通信リソースと称される。定義済みの下りリンク通信リソース及び／又は定義済みの上りリンク通信リソースは、Ｄ２Ｄ通信のために使用可能であるが、本明細書における例では、定義済みの上りリンクリソースのみがＤ２Ｄ通信のために使用される。予備のＤ２Ｄ通信リソースの一部分は、カバレッジ外（ＯｏＣ）Ｄ２Ｄ通信用に確保され、別の部分は、カバレッジ内（ＩｎＣ）Ｄ２Ｄ通信用に確保される。カバレッジ外（ＯｏＣ）Ｄ２Ｄ通信用に確保されたＤ２Ｄ通信リソースの部分は、本明細書では、ＯｏＣ  Ｄ２Ｄ予備通信リソースと称され、カバレッジ内（ＩｎＣ）Ｄ２Ｄ通信用に確保された部分は、本明細書では、ＩｎＣ  Ｄ２Ｄ予備通信リソースと称される。例えば、ＯｏＣ  Ｄ２Ｄ通信用に確保されていない全ての予備のＤ２Ｄ通信リソースは、ＩｎＣ  Ｄ２Ｄ通信用に確保されている。以下に更に詳細に検討するように、ＩｎＣ  Ｄ２Ｄ予備通信リソースの様々なセットが様々なＤ２Ｄグループに割り当てられる。リソース割り当てりを示す通信リソース割り当て情報は、状況によっては、基地局のサービスエリア内の全てのＤ２Ｄ  ＵＥ装置へと報知される。他の状況では、通信リソース割り当て情報は、Ｄ２ＤグループのＤ２Ｄ  ＵＥ装置のうち少なくとも１つに送信される。ＩｎＣ  Ｄ２Ｄ通信リソースは、グループの優先順位に基づいて、Ｄ２Ｄグループに割り当てられてもよい。Ｄ２Ｄグループの優先順位は、ネットワークから取得されたり、かつ／又は１つ又は２つ以上のＤ２ＤＵＥ装置により基地局に中継されたりする。状況によっては、Ｄ２Ｄグループは、Ｄ２Ｄグループが１つのセルにおいて少なくとも１つのＤ２Ｄ  ＵＥ装置を含み、別のセルにおいて少なくとも１つの他のＤ２Ｄ  ＵＥ装置を含む、セル間カバレッジシナリオ内に存在してもよい。本明細書における例に関して、かかるシナリオのためのＤ２Ｄ通信リソースは、基地局によって管理されて、セル間Ｄ２Ｄグループの中のＤ２Ｄ  ＵＥ装置間でＤ２Ｄ通信するための許容可能なＤ２Ｄ通信リソースを特定する。以下で検討するように、他のセルによりサービングされている他のＤ２Ｄ  ＵＥ装置とＤ２Ｄ通信するためのＤ２Ｄ通信リソースを要求しているＤ２Ｄ  ＵＥ装置は、要求しているＤ２Ｄ  ＵＥ装置にサービングしている基地局に対して、要求しているＵ��装置からＤ２Ｄ送信を受信することとなる他のＤ２Ｄ装置にサービングしているセルのセル識別子を示す。要求しているＤ２Ｄ  ＵＥ装置は、他のＤ２Ｄ  ＵＥ装置によって送信されたＤ２Ｄサブフレームから、他のセルのセル識別子を判定する。従って、Ｄ２Ｄサブフレームは、Ｄ２Ｄサブフレームを送信する装置のサービングセルのセル識別子を伝達する。状況によっては、Ｄ２Ｄサブフレームは、Ｄ２Ｄディスカバリサブフレームであってもよい。従って、セル識別子は、Ｄ２Ｄディスカバリ信号において送信されてもよい。
【００１８】
図１は、端末間（Ｄ２Ｄ）通信にマクロセル通信リソースが使用される通信システム１００のブロック図である。基地局１０２、１０４は、「セル」と称される場合がある地理的サービスエリア１１０、１１２内の無線通信ＵＥ装置１０６、１０８に無線通信サービスを提供する。いくつかの基地局は、典型的には、バックホール１１４を介して相互接続されて、いくつかのサービスエリアを提供して、広域をカバーする。状態によっては、基地局は、２つ以上のセルを提供してもよい。例えば、基地局は、多数の無線ヘッドに接続された単一の基地局制御部を備えて、２つ以上のセルを提供してもよい。簡潔かつ明瞭にするために、図１の例では、各基地局は、単一のセルを提供する。本明細書で検討される技術は、他のセルラ構成に適用されてもよい。セルラ通信システムは、典型的には、通信規格又は仕様に従う必要がある。第３世代パートナシッププロジェクト・ロング・ターム・エボリューション（３ＧＰＰ  ＬＴＥ）通信仕様は、下りリンクに対する直交周波数分割多重方式（ＯＦＤＭ）及び上りリンクに対するシングルキャリア周波数分割多元接続方式（ＳＣ−ＦＤＭＡ）を使用して、基地局（ｅＮｏｄｅＢ）がサービスを無線通信装置（ユーザ機器（ＵＥ）装置）に提供するシステムのための仕様である。本明細書に記載される技術は、他のタイプの通信システムに適用可能ではあるが、本明細書で検討される例示的なシステムは、３ＧＰＰ  ＬＴＥ通信仕様に従って動作する。
【００１９】
基地局１０２、１０４の各々は、ｅＮｏｄｅＢ又はｅＮＢと称されることもある固定型の送受信機局であり、状況によっては、制御部を備えてもよい。各基地局は、セルラネットワーク内で、バックホール１１４を介して（図示されない）ネットワーク制御部に接続されていてもよく、バックホール１１４は、有線通信チャネル、光通信チャネル、及び／又は無線通信チャネルの任意の組み合わせを含み得る。本明細書における例に関して、制御部は、Ｍｏｂｉｌｉｔｙ  Ｍａｎａｇｅｍｅｎｔ  Ｅｎｔｉｔｙ（ＭＭＥ）及びＰａｃｋｅｔ  Ｇａｔｅｗａｙ（Ｐ−ＧＷ）の機能性を含む。よって、制御部は、典型的には、基地局とＵＥ装置との間の通信のための、状態によっては、ＵＥ装置間のＤ２Ｄ通信のためのリソースをスケジューリングすることができるスケジューラを含む。
【００２０】
無線（ＵＥ）通信装置１０６、１０８（一括して、ＵＥ装置）は、モバイル装置、無線装置、無線通信装置、及びモバイル無線装置、ＵＥ、ＵＥ装置、並びにそれ以外の名称で称される場合がある。ＵＥ装置は、端末間構成において、基地局及び他のＵＥ装置と通信するための電子部品及びコードを備える。ＵＥ装置として、携帯電話、パーソナルデジタルアシスタント（ＰＤＡ）、無線モデムカード、無線モデム、無線通信用電子部品を有するテレビ、並びにラップトップ及びデスクトップ型のコンピュータなどの装置、並びに他の装置が挙げられる。従って、無線通信電子部品を電子装置と組み合わせることにより、ＵＥ装置を形成することができる。例えば、ＵＥ装置は、電化製品、コンピュータ、テレビ、又は他の装置に接続された無線モデムを備えてもよい。
【００２１】
上記のように、状態によっては、２つ以上のＵＥ装置は、基地局を介した通信を用いることなく、互いに直接的に通信してもよい。かかる端末間（Ｄ２Ｄ）通信は、基地局のサービスエリア内、サービスエリア外、又は多数のサービスエリア内のＵＥ装置間で発生してもよい。図１では、第１のＤ２Ｄ  ＵＥ装置（ＵＥ１）１０６は、第１のサービスエリア（Ｃｅｌｌ１）１１０内にあり、第２のＤ２Ｄ  ＵＥ装置（ＵＥ２）１０８は、第２のサービスエリア（Ｃｅｌｌ２）１１２内にある。本例では、Ｄ２Ｄ  ＵＥ装置１０６、１０８は、基地局１０２、１０４によって割り当てられた、又は少なくとも割り当てられた、Ｄ２Ｄ通信リソースを使用してＤ２Ｄ通信を確立する。
【００２２】
基地局１０２は、サービスエリア１１０内のＵＥ装置（第１のＤ２Ｄ  ＵＥ装置１０２など）と無線信号を送受信できる無線送受信部（送信部及び受信部）を備える。第２の基地局１０４もまた、他のサービスエリア（Ｃｅｌｌ２）１１２内のＵＥ装置（第２のＤ２Ｄ  ＵＥ装置１０８など）と無線信号を送受信できる無線送受信部（送信部及び受信部）を備える。基地局からのかつＵＥ装置１０６、１０８からの送信は、送信のシグナリング、プロトコル、及びパラメータを定義する通信仕様により定められる。通信仕様は、通信用の厳格な規則を提供し、また、具体的な実施は異なるが通信仕様には従っている一般的な要件を提供することができる。以下の検討は、３ＧＰＰロング・ターム・エボリューション（ＬＴＥ）通信仕様に関するが、状況によっては、他の通信仕様を使用してもよい。通信仕様では、少なくとも、上りリンク及び下りリンク伝送用のデータチャネル及び制御チャネルが定義され、少なくとも、基地局からＵＥ装置への物理下りリンク制御チャネル用の一部のタイミング及び周波数パラメータが特定されている。
【００２３】
マクロセル通信リソースの大半部分は、下りリンク信号及び上りリンク信号を送信するために使用される。基地局の各々は、通信仕様により定義され、下りリンク通信用に確保された、定義済みの下りリンク通信リソースのスケジューリング済みの下りリンク通信リソースを使用して、それぞれのサービスエリア（セル）におけるＵＥ装置に下りリンク信号を送信する。ＵＥ装置は、通信仕様により定義され、上りリンク通信用に確保された、定義済みの上りリンク通信リソースのスケジューリング済みの上りリンク通信リソースを使用して、上りリンク信号を基地局１０２、１０４に送信する。マクロセル通信リソースは、時間で分割された周波数帯を含み、各周波数帯及び時間区間は、スケジューラにより特定され、基地局１０２、１０４からＵＥ装置に送られた制御信号に記載される。従って、通信仕様又は他のシステムの規則は、下りリンク用の適用可能な通信リソース及び上りリンク用の適用可能な通信リソースを定義する。スケジューラは、異なる時間−周波数リソースを異なる装置に割り当て、干渉を最小化する一方、リソースを効率的に利用する。よって、１つのＵＥ装置と送受信する信号のために使用されるスケジューリング済みのマクロセル通信リソースは、他のＵＥ装置と送受信する他の信号のために使用されるスケジューリング済みのマクロセル通信リソースとは異なる。従って、本明細書で参照されるように、定義済みのマクロセル通信リソースは、仕様及び／又は通信システムの規則により通信のために確保された通信リソースである。しかしながら、特定の信号に対するマクロセル送信のためのスケジューリング済みのリソースは、予備のマクロセル通信リソースのサブセットであり、典型的には、運用中、動的に変更される。
【００２４】
本明細書における例に関して、各Ｄ２Ｄ  ＵＥ装置は、Ｄ２Ｄ  ＵＥ装置のサービングセルを特定するＤ２Ｄサブフレームを送信する。従って、図１における例に関して、第１のＵＥ装置１０６は、第１のセル１１０を特定するセル識別子を含むＤ２Ｄサブフレーム１１６を送信する。図１には図示されていないが、第２のＵＥ装置（ＵＥ２）１０８もまた、第２のセル１１２を特定するディスカバリ信号を送信する。Ｄ２Ｄサブフレームを送信する好適な技術として、Ｒｅｌ−８  ＰＵＳＣＨ構造に従って、Ｄ２Ｄサブフレームを送信することが挙げられるが、Ｄ２Ｄ  ＵＬサブフレーム中の最終シンボルが空白のままである点は除く。状態によっては、Ｄ２Ｄサブフレームは、Ｄ２Ｄディスカバリサブフレームであってもよい。ディスカバリ信号は、ディスカバリ信号のリソースプールのセットのサブセットとして割り当てられたリソースで送信される。
【００２５】
以下で検討するように、セル識別子は、セルＩＤをＤ２Ｄサブフレーム内に含むことにより、伝達されてもよい。セルＩＤは、セルの固有の（又は少なくとも地理的に固有の）識別子である。一例として、セルＩＤは、Ｄ２Ｄサブフレームメッセージに含有されている。別の例において、Ｄ２Ｄサブフレームを復調するために使用される復調用参照信号（ＤＭＲＳ）の中に埋め込まれているスクランブルは、セルＩＤを反映するように操作される。例えば、ディスカバリ信号の参照信号（ＲＳ）は、他のＵＥ装置が、ディスカバリ信号などのＤ２ＤサブフレームのＲＳをデスクランブルする際にセルＩＤを判定できるように、セルＩＤを使用してスクランブル化され得る。
【００２６】
第１のＤ２Ｄ  ＵＥ装置１０６とＤ２Ｄ通信リンクが確立されるべきであると第２のＤ２Ｄ  ＵＥ装置１０８が判定した場合、第２のＤ２Ｄ  ＵＥ装置１０８は、Ｄ２Ｄ要求１１８を自身のサービング基地局に送信し、サービング基地局では、Ｄ２Ｄ要求は、第１のＵＥ装置のサービングセルを特定する。Ｄ２Ｄ要求１１８は、Ｄ２Ｄ通信リソースの要求である。第１のＵＥ装置１０６のサービングセルは、第１のＵＥ装置１０６のサービングセル１１０のセルＩＤを含むことにより、要求１１８において伝達されてもよい。本明細書における例に関して、Ｄ２Ｄ要求１１８はまた、第１のＵＥ装置１０６を特定する情報を含む。Ｄ２Ｄ要求１１８の受信に応じて、第２の基地局１０４は、第１の基地局１０２と通信かつ協調して、第１のＵＥ装置と第２のＵＥ装置との間のＤ２Ｄ通信のために割り当てられることとなるＤ２Ｄリソースを確立する。基地局は、Ｘ２メッセージングを使用して、バックホール１１４を介して通信する。本明細書における例に関して、第１のＵＥ装置１０６はまた、Ｄ２Ｄ要求メッセージを自身のサービング基地局（第１の基地局１０２）に送り、サービング基地局において、要求は、第２のＵＥ装置１０８のサービングセルを特定する。よって、第１のＵＥ装置は、セルＩＤ２を含めて、Ｄ２Ｄ要求を第１の基地局１０２へ送る。Ｄ２Ｄ通信リソースを確立するために様々な技術を使用することができるが、好適な技術の一例として、基地局がＤ２Ｄリソースを得ようと努める手順が挙げられる。
【００２７】
図２Ａ及び図２Ｂは、Ｄ２Ｄサブフレームを送信するＵＥ装置のサービングセルを特定するＤ２Ｄサブフレーム２００、２２０のブロック図である。例として、各サブフレーム２００、２２０は、セル識別子２０２を伝達する。よって、Ｄ２Ｄサブフレーム２００、２２０は、図１のＤ２Ｄディスカバリ信号１１６の例である。Ｄ２Ｄサブフレーム２００、２２０は、ＤＭＲＳシンボル２０４及びＤ２Ｄメッセージシンボル２０６を含む。各サブフレーム２００、２２０はまた、ギャップ２０８を含む。Ｄ２Ｄサブフレーム２００、２２０は、セル識別子２０２を含み、その場合、セル識別子２０２は、他のＵＥ装置がＤ２Ｄサブフレーム２００、２２０を送信するＵＥ装置のサービングセルを特定できる任意の情報である。３ＧＰＰ  ＬＴＥ仕様に従って動作するシステムでは、セルＩＤは、３Ｇシステム用のＣｅｌｌ  Ｇｌｏｂａｌ  Ｉｄｅｎｔｉｔｙ（ＣＧＩ）及び４Ｇシステム用のｅＣＧＩであることが好ましい。ＰＬＭＮ間ディスカバリ（ｉｎｔｅｒ−ＰＬＭＮ  ｄｉｓｃｏｖｅｒｙ）がＤ２Ｄでサポートされ、ＰＬＭＮ情報がＣＧＩ（及びｅＣＧＩ）に含まれているため、ＣＧＩは、有用である。状況によっては、セルＩＤは、物理セルＩＤ（ＰＣＩ）であってもよい。セル識別子は、メッセージペイロードとして送信されてもよく、あるいは参照信号（ＤＭＲＳ）の中に埋め込まれていてもよい。
【００２８】
図２Ａは、Ｄ２Ｄサブフレーム２００のブロック図であり、セル識別子（例えば、セルＩＤ）２０２は、Ｄ２Ｄメッセージシンボル２０６に含有されている。Ｄ２Ｄメッセージシンボル２１０の少なくとも一部を使用して、セルＩＤを伝達する。図２Ａは、セル識別子２０２用に使用されていない一部のＤ２Ｄメッセージシンボル２１２を示す。状態によっては、全てのＤ２ＤメッセージシンボルがセルＩＤ２０２用に使用されてもよい。上述のように、Ｄ２Ｄサブフレーム２００は、状態によっては、Ｄ２Ｄディスカバリサブフレームであってもよい。よって、セル識別子２０２は、Ｄ２Ｄディスカバリ信号のＤ２Ｄディスカバリメッセージにおいて送信されてもよい。
【００２９】
図２Ｂは、Ｄ２Ｄサブフレーム２２０のブロック図であり、セル識別子２０２は、参照信号の中に埋め込まれている。Ｄ２Ｄサブフレーム２２０の参照信号（ＤＭＲＳ）は、セル識別子２０２を反映するように操作される。例えば、参照信号は、セルＩＤに関連している又は別様にセルＩＤを反映しているコードによってスクランブル化されてもよく、別のＵＥ装置は、Ｄ２Ｄディスカバリサブフレーム２２０を復号する際にセルＩＤを検索することができる。従って、Ｄ２ＤサブフレームのＤＭＲＳをスクランブル化するためのスクランブリングシーケンスは、セル識別子２０２の関数である。スクランブリングシーケンスはまた、Ｄ２ＤグループＩＤ及び／又はＵＥ装置ＩＤの関数であってもよい。Ｄ２Ｄメッセージシンボル２０６は、セル識別子２０２以外の目的で使用され得る。Ｄ２Ｄサブフレーム２２０は、状態によっては、Ｄ２Ｄディスカバリサブフレームであってもよい。かかる状態では、Ｄ２Ｄディスカバリ信号のＲＳをスクランブル化するためのスクランブリングシーケンスは、セル識別子の関数である。
【００３０】
図３は、ＵＥ装置１０６、１０８としての使用に好適な無線ユーザ機器（ＵＥ）装置５００のブロック図である。ＵＥ装置の各々は、送受信部３０２、制御部３０４、並びに、例えば、メモリ及びユーザインターフェイスなどの他の構成要素及び回路素子（図示せず）を備える。送受信部３０２は、送信部３０４及び受信部３０６を備える。送受信部３０２は、基地局に上りリンク無線信号を送信し、基地局から下りリンク無線信号を受信する。送受信部はまた、割り当てられた上りリンク通信リソースを使用して、Ｄ２Ｄ信号を送受信するように構成され得る。制御部３０４は、移動無線通信装置の構成要素を制御して、本明細書に記載される装置の機能を管理し、かつ装置３００の全体的な機能性を簡易化する。制御部３０４は、送受信部３０２及びメモリなどの他の構成要素に接続される。
【００３１】
図４は、基地局１０２、１０４としての使用に好適な基地局４００のブロック図である。基地局の各々は、送受信部４０２、基地局制御部４０４、及びネットワークインターフェイス４０６を備える。状態によっては、構成要素は、併設されていなくてもよい。例えば、基地局制御部４０４は、送受信部４０２から分離されていてもよい。送受信部４０２は、送信部４０８及び受信部４１０を含む。送受信部４０２は、ＵＥ装置から上りリンク無線信号を受信し、ＵＥ装置に下りリンク無線信号を送信する。基地局制御部４０４は、基地局４００の構成要素を制御して、本明細書に記載される基地局の機能を管理し、かつ基地局４００の全体的な機能性を簡易化する。基地局４００は、ネットワークインターフェイス４０６を介して、ネットワーク及び他の基地局と通信する。例として、ネットワークインターフェイス４０６は、Ｘ２シグナリングを使用して、バックホール１１４を介して他の基地局と通信するように構成されている。
【００３２】
図５は、セル間Ｄ２Ｄ通信の確立の一例を示すメッセージのやりとりの図である。第１のＵＥ装置（ＵＥ１）１０６は、第１の基地局１０２によりサービング（提供）されている第１のセル１１０内にあり、第２のＵＥ装置（ＵＥ２）１０８は、第２の基地局１０４によりサービング（提供）されている第２のセル１１２内にある。よって、第１の基地局１０２は、第１のＵＥ装置１０６のサービング局であり、第２の基地局１０４は、第２のＵＥ装置１０８のサービング局である。
【００３３】
送信５０２では、第１のＵＥ装置１０６は、Ｄ２Ｄサブフレーム１１６を送信し、Ｄ２Ｄサブフレーム１１６は、第１のＵＥ装置１０６のサービングセルを特定する。例として、Ｄ２Ｄサブフレーム１１６は、Ｄ２Ｄ送信のために割り当てられた物理上りリンク共有チャネル（ＰＵＳＣＨ）内で送信される。第１のセルのセルＩＤ（セルＩＤ１）は、Ｄ２Ｄメッセージ内で送信されるか、又は参照信号に反映される。
【００３４】
送信５０４では、第２のＵＥ装置１０８は、Ｄ２Ｄサブフレームを送信し、Ｄ２Ｄサブフレームは、第２のＵＥ装置１０８のサービングセルを特定する。例として、Ｄ２Ｄサブフレームは、Ｄ２Ｄ送信のために割り当てられたＰＵＳＣＨ内で送信される。第２のセルのセルＩＤ（セルＩＤ２）は、Ｄ２Ｄメッセージ内で送信されるか、又は参照信号に反映される。
【００３５】
送信５０６では、第２のＵＥ装置は、セルＩＤ１を有するＤ２Ｄ要求を第２の基地局１０４に送信する。メッセージは、ＰｒｏＳｅＵＥＩｎｆｏｒｍａｔｉｏｎメッセージなどのＲＲＣメッセージであり得る。物理上りリンク共有チャネル（ＰＵＳＣＨ）を使用してもよい。Ｄ２Ｄ要求は、少なくとも、第１のＵＥ装置１０６とのＤ２Ｄ通信のためのＤ２Ｄリソースの要求を示しており、第１のＵＥ装置１０６のサービングセルを特定する。例として、Ｄ２Ｄ要求は、第１のＵＥ装置のサービングセル１１０のセルＩＤ（セルＩＤ１）を含む。Ｄ２Ｄ要求には、他の情報も含まれていてもよい。
【００３６】
送信５０８では、第１のＵＥ装置は、セルＩＤ２を有するＤ２Ｄ要求を第１の基地局１０２に送信する。送信は、ＰｒｏＳｅＵＥＩｎｆｏｒｍａｔｉｏｎメッセージなどのＲＲＣメッセージであってもよい。メッセージを送るために好適なチャネルは、ＰＵＳＣＨである。Ｄ２Ｄ要求は、少なくとも、第２のＵＥ装置１０８とのＤ２Ｄ通信のためのＤ２Ｄリソースの要求を示しており、第２のＵＥ装置１０６のサービングセルを特定する。例として、Ｄ２Ｄ要求は、第２のＵＥ装置１０８のサービングセル１１２のセルＩＤ（セルＩＤ１）を含む。Ｄ２Ｄ要求には、他の情報も含まれていてもよい。
【００３７】
イベント５１０では、基地局は、協調して、Ｄ２Ｄ通信のためにＤ２Ｄ  ＵＥ装置に割り当てられ得るＤ２Ｄ通信リソースを特定する。従って、送信５１２及び５１４では、第１の基地局は、第２の基地局と通信して、第１のＵＥ装置と第２のＵＥ装置との間のＤ２Ｄ通信のために割り当てられることとなるＤ２Ｄ通信リソースを特定する。協調には、基地局間の数回の送信を要してもよい。
【００３８】
送信５１６では、第１の基地局は、Ｄ２Ｄ通信リソース情報（ＣＲＩ）を第１のＵＥ装置に送る。Ｄ２Ｄ  ＣＲＩは、個別のシグナリングを介して報知又は提供され得る。例えば、Ｄ２Ｄ  ＣＲＩは、ＲＲＣＣｏｎｎｅｃｔｉｏｎＲｅｃｏｎｆｉｇｕｒａｔｉｏｎメッセージを使用して、かつメッセージの中にｐｒｏｓｅＣｏｍｍＣｏｎｆｉｇ情報要素を含んで送られ得る。ＳＩＢ１８又はＳＩＢ１９メッセージもまた、使用されてもよい。ＣＲＩのための好適なチャネルは、ＰＤＳＣＨである。
【００３９】
送信５１８では、第２の基地局は、Ｄ２Ｄ通信リソース情報（ＣＲＩ）を第２のＵＥ装置に送る。
【００４０】
イベント５２０では、第１のＵＥ装置及び第２のＵＥ装置は、割り当てられたＤ２Ｄリソースを使用して、Ｄ２Ｄ通信リンクを介して通信する。
【００４１】
図５を参照して検討したメッセージは、異なるセル内にあるＵＥ装置から送信された（Ｄ２Ｄディスカバリサブフレームなどの）Ｄ２Ｄサブフレームにおいて受信されたセル特定情報を利用することの一例を提供している。セル特定情報は、状態によっては、他の方法で使用されてもよい。例えば、送信５０６及び送信５０８においてＤ２Ｄ通信のためのＤ２Ｄリソースの要求を送る代わりに、ＵＥ装置の一方又は双方は、Ｄ２Ｄディスカバリ信号送信のためのリソースの要求を自身のサービング基地局に送ることもでき、要求は、他のＵＥ装置のサービングセルのセルＩＤを含む。次いで、基地局１０２、１０４は、協調して、適切なＤ２Ｄディスカバリ信号リソースを確立することができる。別の状態では、ＵＥ装置１０６、１０８は、リソースの要求を行わずに、セルＩＤを報告してもよい。セルＩＤが報告された時点では、Ｄ２Ｄリソース要求は行われていなかったが、かかるシナリオにより、基地局が協調し、今後のＤ２Ｄ送信のための十分なＤ２Ｄリソースを確保することができる。従って、かかるシナリオは、基地局同士が協調するために要する時間による、Ｄ２Ｄリソースの割り当ての遅延を削減するのに有用である。ＵＥ装置は、ＰｒｏＳｅＵＥＩｎｆｏｒｍａｔｉｏｎメッセージを使用して、Ｄ２Ｄディスカバリ信号リソースを要求してもよく、かつ／又はセルＩＤを報告してもよい。
【００４２】
状態によっては、Ｄ２Ｄ  ＵＥ装置は、あるセルから別のセルに移行してもよい。新しいセルにおいて、Ｄ２Ｄ  ＵＥ装置は、同一のＤ２Ｄリソースを使用することが認可されていないので、新しいセルに移行するＤ２Ｄ  ＵＥは、引き続き同一のＤ２Ｄリソースを使用することはできない。その結果、Ｄ２Ｄ  ＵＥ装置を新しいセルに移行させ、セル間Ｄ２Ｄの構成においてＤ２Ｄ通信を引き続き行うための手順が実行される。
【００４３】
図６Ａ、図６Ｂ、及び図６Ｃは、第２のＤ２Ｄ  ＵＥ装置１０８が第１のセル１１０から第２のセル１１２に移動する際の、通信システム１００を示す図である。図６Ａでは、第１のＤ２Ｄ  ＵＥ装置１０６及び第２のＵＥ装置１０８は、ＵＥ装置１０６、１０８の両方が第１のセル１１０内にある間は、Ｄ２Ｄを使用して通信する。図６Ｂでは、第２のＵＥ装置１０８は、第１のセル１１０から第２のセル１１２へと移動中であり、かつ第１のセル１１０から第２のセル１１２へのハンドオーバに従事している。このセルの移行及びハンドオーバの間、ＵＥ装置は、Ｄ２Ｄ通信を中止する。ハンドオーバが完了すると、第２のＵＥ装置１０８は、新しいサービングセルを特定するＤ２Ｄディスカバリ信号などのＤ２Ｄサブフレームを送信する。
【００４４】
図６Ｃでは、ハンドオーバが完了し、第２のＵＥ装置は、第２のセル識別子（セルＩＤ２）を有するＤ２Ｄサブフレーム６０２を送信する。上で検討したように、セルＩＤは、Ｄ２Ｄメッセージ内で送信されてもよく、あるいは参照信号の中に埋め込まれていてもよい。Ｄ２Ｄサブフレームは、Ｄ２Ｄディスカバリサブフレームであってもよい。第２のＵＥ装置１０８はまた、Ｄ２Ｄ要求６０４を第２の基地局１０４に送る。
【００４５】
第１のＵＥ装置１０６は、サービングセル（セル１）に、第２のＵＥ装置１０８の新しいサービングセル（Ｃｅｌｌ２）を報告する。例として、第１のＵＥ装置１０６は、Ｄ２ＤセルＩＤ更新メッセージ６０６を第１の基地局１０２に送信する。Ｄ２ＤセルＩＤ更新メッセージ６０６は、第２のＵＥ装置にサービングしている新しいセル（第２のセル）のセルＩＤと、第２のＵＥ装置１０８のＵＥ  ＩＤと、を含む。周波数間状態（ｉｎｔｅｒ−ｆｒｅｑｕｅｎｃｙ  ｓｉｔｕａｔｉｏｎ）の場合、Ｄ２ＤセルＩＤ更新メッセージ６０６はまた、チャネル周波数番号も含む。例えば、Ｄ２ＤセルＩＤ更新メッセージ６０６は、第２のセルのサービング周波数を特定するチャネル周波数番号を含む。Ｄ２ＤセルＩＤ更新メッセージ６０６の好適な構造及び送信の一例として、３ＧＰＰ  ＬＴＥ  Ｒｅｌ−０８メッセージ構造に従った構造を使用することと、ＰＵＳＣＨ／ＰＵＣＣＨを介してメッセージを送信することと、が挙げられる。例えば、３ＧＰＰ  ＬＴＥ規格では、自身のサービングセルがＳＩＢ１９を報知した場合、自身のサービングセルに対して送られ得るＰｒｏｓｅＵＥＩｎｆｏｒｍａｔｉｏｎメッセージを規定している。ＳＩＢ１９の報知は、ＵＥに対して、サービングセルがＤ２Ｄディスカバリをサポートすることを示している。同様に、サービングセルがＳＩＢ１８を報知した場合、ＵＥに対して、サービングセルがＤ２Ｄ通信をサポートすることを示している。現在、ＰｒｏＳｅＵＥＩｎｆｏｒｍａｔｉｏｎメッセージは、ＵＥ装置が使用しており、Ｄ２Ｄディスカバリ又はＤ２Ｄ通信に対するＵＥ装置の関心を基地局に示し、かつ対応するＤ２Ｄリソースを要求している。Ｄ２ＤセルＩＤ更新メッセージ６０６の一実施では、ＰｒｏＳｅＵＥＩｎｆｏｒｍａｔｉｏｎメッセージは、必要に応じて、セルＩＤ、ＵＥ  ＩＤ、及びチャネル周波数番号を含むように変更される。
【００４６】
Ｄ２Ｄ要求６０４及びＤ２ＤセルＩＤ更新メッセージ６０６を受信後、基地局は協調して、共通のＤ２Ｄリソースを特定する。潜在的な干渉から、周波数内シナリオにとって基地局同士の協調は重要であるが、周波数間シナリオにおいてもまた必要である。ＢＳ１  １０２及びＢＳ２  １０４がＤ２Ｄ用の異なる周波数で動作していたとしても、典型的には、基地局（ｅＮＢ）は、２つ以上の周波数で動作する。例えば、ＢＳ１  １０２は、周波数Ｆ１、Ｆ２、及びＦ３で動作してもよいが、Ｄ２Ｄ用として使用するのはＦ１のみであり、一方、ＢＳ２  １０４は、周波数Ｆ２、Ｆ３、及びＦ４で動作してもよいが、Ｄ２Ｄ用として使用するのはＦ２のみである。Ｆ１及びＦ２（それぞれ、ＢＳ１及びＢＳ２用の２つのＤ２Ｄ周波数）が異なる周波数で動作しているため、一見、リソースの調整は必要ないように想定される。しかしながら、ＢＳ１  １０２はまた、セルラ通信のためにＦ２を使用するため、ＢＳ２  １０４がＦ２のもとで使用するＤ２Ｄリソースは、ＢＳ１  １０２が使用するセルラリソースに潜在的に干渉するだろう。基地局は、それぞれのセル内でＤ２Ｄ通信リソース情報を報知し、Ｄ２Ｄ  ＵＥ装置は、これらのＤ２Ｄリソースを使用して、Ｄ２Ｄ通信を再開する。
【００４７】
図７は、第２のＵＥ装置１０８が第１のＵＥ装置１０６と通信し、第１のセル１１０から第２のセル１１２へと移動していることを示すメッセージ図である。
【００４８】
イベント７０２では、第１のＵＥ装置１０６及び第２のＵＥ装置は、Ｄ２Ｄリンクを介して通信中である。装置は両方とも、第１のセル１１０にあり、第１の基地局１０２によりサービングされている。
【００４９】
送信７０４では、第２のＵＥ装置１０８から第１の基地局１０２に測定レポートが送信される。例として、第１のＵＥ装置は、自身のサービングセル（第１の基地局）からの要求を受けて、別の周波数に属するターゲットセルの測定を行う。構成されたイベントトリガ（例えば、イベントＡ５（ＰＣｅｌｌが閾値１より悪くなり、近隣が閾値２よりもよくなる））の場合、測定レポートがサービングセルに送られる。測定レポートは、ハンドオーバトリガであると考えられてもよい。
【００５０】
第２のＵＥ装置が測定レポート７０４を第１の基地局１０２に送った後、第１のＵＥ装置は、第１のＵＥがターゲットセルに属するディスカバリプールをモニタできるように、ターゲットセル（及びターゲットセルの周波数）を知る必要がある。第１のＵＥがターゲットセルのディスカバリリソースプールをモニタすべき場所を知るための方法は、多数存在する。一実施では、送信７０６は、第２のＵＥ装置１０８によって送信されて、第１のＵＥ装置に、第２のセル（ターゲットセル）の新しいセルＩＤ及び周波数を通知する。場合によっては、第２のＵＥ装置は、測定レポート７０４が第１の基地局１０２に送られる直前に、送信７０６を代替的に送ってもよい。例えば、測定イベントがトリガされた場合（例えば、イベントＡ５）、第２のＵＥ装置は、測定レポート７０４を第１の基地局１０２に送る前に、送信７０６を送ってもよい。この代替例において、ハンドオーバトリガは、測定レポート７０４を送ることではなく、測定イベントがトリガされたことに基づいている。従って、第１の基地局がモビリティ情報（ハンドオーバメッセージ）を有するＲＲＣＣｏｎｎｅｃｔｉｏｎＲｅｃｏｎｆｉｇｕｒａｔｉｏｎメッセージを第２のＵＥ装置に送る前に、第２のＵＥ装置は、第１のＵＥ装置にターゲットセルのセルＩＤ及び周波数を通知して、ＵＥ１は、ターゲット周波数におけるＤ２Ｄのモニタを開始することができる。第１のＵＥ装置はまた、システム情報（ＳＩＢ１８又はＳＩＢ１９）を直接モニタして、ターゲットセルによって割り当てられた特定のＤ２Ｄリソースを判定するが、これは、自身のサービングセルからこの情報が提供されないからである。また、第１のＵＥ装置が第２のＵＥ装置からセルＩＤ及び周波数情報を受信した後、タイマが起動する。タイマが満了し、第１のＵＥ装置が第２のＵＥ装置からディスカバリ信号を受信していない場合（送信７１４）、第１のＵＥ装置は、第２のＵＥ装置のハンドオーバは開始されなかった、又はハンドオーバは失敗した、のうちいずれかであると判定する。送信７０６は、第２のセルの周波数が第１のセルの周波数とは異なる周波数間状態において行われる。周波数が同一である周波数内状態（ｉｎｔｒａ−ｆｒｅｑｕｅｎｃｙ  ｓｉｔｕａｔｉｏｎ）においては、送信７０６は、省略される。
【００５１】
別の実施では、送信７０６は、１ビットのハンドオーバ指示子のみからなっており、第２のＵＥ装置が別のセルにハンドオーバされそうになっていることを第１のＵＥ装置に通知するが、明示的なセルＩＤ又は周波数は、メッセージ７０６には示されない。（ディスカバリ信号サブフレームなどの）Ｄ２Ｄサブフレームの参照信号（ＲＳ）は、自身のサービングセルのセルＩＤとスクランブル化される。従って、その結果、サービングセルに関する情報は、Ｄ２Ｄサブフレーム（ディスカバリ信号）で暗示的に提供される。送信７０６において、一旦第１のＵＥ装置が１ビットのハンドオーバ指示子を受信すると、それにより、第１のＵＥ装置は、全ての隣接ディスカバリ周波数のためのディスカバリリソースプールのモニタを開始する。ＢＳ２へのハンドオーバが成功すると、第２のＵＥ装置は、ディスカバリ信号などのＤ２Ｄサブフレームで暗示的に提供された（すなわち、ディスカバリ信号のＲＳにスクランブル化された）セルＩＤを有するＤ２Ｄサブフレーム（ディスカバリ信号）を送る。暗示的なセルＩＤを伴う７１４の受信は、第１のＵＥ装置に、ハンドオーバが成功し、かつタイマが停止したことを示す。
【００５２】
ハンドオーバ失敗の場合、第２のＵＥ装置は、第１のセルに対して再確立を試みる。第１のセルに対して再確立が成功した場合、第１のセル内での第１のＵＥ装置と第２のＵＥ装置との間のＤ２Ｄ通信を再開できる。しかしながら、再確立が失敗した場合、第２のＤ２Ｄ  ＵＥは、もはやどのセルからもサービングされていないため、この場合、第１のＤ２Ｄ  ＵＥは、ターゲット周波数のターゲットセルによって提供されるディスカバリリソースをモニタする必要はない。タイマが満了することにより、第１のＤ２Ｄ  ＵＥがターゲット周波数からのＤ２Ｄリソースをモニタする必要がなくなることが確実となる。
【００５３】
更に別の実施では、送信７０６は送られていない。セルＩＤは、ＲＳ内でスクランブル化され、セルＩＤ情報は、ディスカバリ信号で暗示的に提供される。本実施では、第２のＵＥ装置がハンドオーバを行っているか否かにかかわらず、第１のＵＥ装置は、全ての周波数のための全てのディスカバリリソースプールを連続して常にモニタしていることを想定している。
【００５４】
送信７０８では、第１の基地局から第２のＵＥ装置に、モビリティ情報を有するＲＲＣＣｏｎｎｅｃｔｉｏｎＲｅｃｏｎｆｉｇｕｒａｔｉｏｎメッセージが送信される。本メッセージは、従来のハンドオーバ手順に基づいており、サービングセルからのハンドオーバを開始する。Ｔ３０４は、第２のＵＥ装置がＲＲＣＣｏｎｎｅｃｔｉｏｎＲｅｃｏｎｆｉｇｕｒａｔｉｏｎメッセージを受信した際に起動するタイマである。本タイマは、ハンドオーバ失敗の場合、使用され、Ｄ２Ｄ動作に関連しない。
【００５５】
送信７１０では、第２のＵＥ装置から第２の基地局にハンドオーバ完了メッセージが送られる。Ｔ３０４タイマは、本メッセージが送られた後、停止する。
【００５６】
送信７１２では、第２のＵＥ装置は、ＲＲＣメッセージ（例えば、ＰｒｏＳｅＵＥＩｎｆｏｒｍａｔｉｏｎメッセージ）を送って、第２の基地局（ターゲットセル）からのＤ２Ｄ送信リソースを要求する。
【００５７】
送信７１４では、第２のＵＥ装置は、Ｄ２Ｄディスカバリ信号などのＤ２Ｄサブフレームを第１のＵＥ装置に送信する。Ｄ２Ｄサブフレーム（Ｄ２Ｄディスカバリ信号）は、第２のセルのセルＩＤを含む。第１のＵＥ装置は、周波数内状態である、又は周波数間状態である、のうちいずれかの理由により、本セルの周波数をモニタしており、送信７０６において、第１のＵＥ装置には、ターゲット周波数が通知される。周波数間シナリオでは、本Ｄ２Ｄメッセージの受信は、第２のＵＥ装置のためのハンドオーバがうまく成功し、第１のＵＥ装置がターゲット周波数のターゲットセルに属するディスカバリリソースを引き続きモニタすべきことを示す。送信７０６において起動したタイマは、停止する。上記のように、タイマが（停止ではなく）満了した場合、第１のＵＥ装置は、第２のＵＥ装置のためのハンドオーバが失敗したと判定し、第１のＵＥ装置は、ターゲットセル／周波数のモニタを停止する。ハンドオーバ失敗の場合、第２のＵＥ装置は、第１のセルに対して再確立を試みることとなる。第１のセルに対して再確立が成功した場合、第１のセル内での第１のＵＥ装置と第２のＵＥ装置との間のＤ２Ｄ通信を再開できる。しかしながら、再確立が失敗した場合、第２のＤ２Ｄ  ＵＥは、もはやどのセルからもサービングされていないため、この場合、第１のＤ２Ｄ  ＵＥは、ターゲット周波数のターゲットセルによって提供されるディスカバリリソースをモニタする必要はない。タイマが満了することにより、第１のＤ２Ｄ  ＵＥがターゲット周波数からのＤ２Ｄリソースをモニタする必要がなくなることが確実となる。
【００５８】
Ｄ２Ｄサブフレームは、ハンドオーバが完了した後、可及的速やかに送信される。従って、Ｄ２Ｄサブフレームがディスカバリサブフレームである場合、Ｄ２Ｄディスカバリ信号は、ハンドオーバの完了に応じて送信され、Ｄ２Ｄ  ＵＥ装置におけるディスカバリ信号のバッファの状態と無関係に送られる。３ＧＰＰの仕様に従い、ＵＥ装置は、送信用の通信リソースが構成された（割り当てられた）際にのみ、ディスカバリ信号を送信することができる。典型的には、ＵＥがＤ２Ｄディスカバリ信号を送ることに興味がある場合、半永続的な送信リソースがＵＥにスケジューリングされる。半永続的なリソースの長さは、意図するＤ２Ｄディスカバリ信号のバッファサイズに依存し得る。しかしながら、ＵＥ装置がいずれのディスカバリ信号の送信にも興味がない場合、ＵＥ装置からリソースは一切要求され得ない。従って、ＵＥ装置がＤ２Ｄディスカバリ信号を全く送らない期間も存在し得る。よって、ハンドオーバが開始された後（７０４）、第２のＵＥ装置は、第１の基地局より提供されたスケジュールに従って、Ｄ２Ｄディスカバリ信号を送信する。しかしながら、第２のＵＥ装置がＤ２Ｄディスカバリリソースを有していない場合、第２のＵＥ装置は、測定レポート７０４を送る前に、自身のソース基地局（第１の基地局）から、かかるリソースの要求を送る。あるいは、第２のＵＥ装置は、Ｄ２Ｄディスカバリ送信のために第１の基地局によってＳＩＢ１９又は（Ｄ２Ｄ通信の場合は、ＳＩＢ１８）を介して割り当てられた共通のディスカバリリソースを使用してもよい。Ｄ２Ｄディスカバリ信号送信の中止を伴うハンドオーバの間、Ｄ２Ｄ送信は、中止される。ハンドオーバが完了すると、第２のＵＥ装置は、Ｄ２Ｄディスカバリ信号を送信するためのリソースを有する第２の基地局によって構成されるべきであるか、又は第２のＵＥ装置は、第２の基地局（ターゲット基地局）によってＳＩＢ１９を介して割り当てられた共通のディスカバリリソースを使用するように構成されていてもよい。第２のＵＥ装置は、第２のＵＥ装置がＤ２Ｄディスカバリ信号の送信に興味がない（例えば、Ｄ２Ｄデータバッファが空である）場合であっても、第２のＵＥ装置にディスカバリサブフレームを送信すべきである。このディスカバリサブフレーム７１４は、第１のＵＥ装置がタイマを停止させるために、第１のＵＥ装置によって受信されなければならない。
【００５９】
送信７１６では、第１のＵＥ装置から第１の基地局に、セルＩＤ更新メッセージが送られる。メッセージは、第１のＵＥ装置のサービングセルに対して、第２のＵＥ装置がサービングセルとして第２のセル（セルＩＤ２）を有することを通知する。
【００６０】
イベント７１８では、基地局は、協調して、（必要に応じて）優先度に基づいて共通のリソースプールを判定する。よって、基地局は、Ｄ２Ｄ通信のためにＵＥ装置１０６、１０８が使用し得るＤ２Ｄリソースを特定する。
【００６１】
送信７２０では、第１の基地局は、個別のシグナリングによって又は情報をＳＩＢ１９で報知することによって、更新されたリソースプール情報（通信リソース情報（ＣＲＩ））を第１のＵＥ装置に提供する。
【００６２】
送信７２２では、第２の基地局は、個別のシグナリングによって又は情報をＳＩＢ１９で報知することによって、更新されたリソースプール情報（通信リソース情報（ＣＲＩ））を第２のＵＥ装置に提供する。
【００６３】
イベント７２４では、ＵＥ装置１０６、１０８は、基地局によって提供されるリソースのプールのためのリソースを使用して、Ｄ２Ｄ通信を再開する。
【００６４】
本発明の他の実施形態及び変更例が、これらの教示を参酌して、当業者に容易に創作されることとなるのは明らかである。上述の記載は、例示的であり、限定的なものではない。本発明は、上記の明細書及び添付の図面に基づく実施形態及び変更例の全てを含む、以下の請求の範囲によってのみ限定されることとなる。従って、本発明の範囲は、上記の説明を参照して判定されるのではなく、均等物の全範囲と共に、添付される請求の範囲を参照して判定されるべきである。
【図１】
0006275851.tif 000002
【図２Ａ】
0006275851.tif 000003
【図２Ｂ】
0006275851.tif 000004
【図３】
0006275851.tif 000005
【図４】
0006275851.tif 000006
【図５】
0006275851.tif 000007
【図６】
0006275851.tif 000008
【図７】
0006275851.tif 000009